(57)【要約】【課題】給電に用いられる接続配線を介してＡＣアダプタの消費電力を低減するようＡＣアダプタを制御することができる電子機器およびこの電子機器に利用されるＡＣアダプタを提供する。【解決手段】本発明に係る電子機器としてのパーソナルコンピュータ１０は、制御信号送出回路３６および主電源状態判定部３８を少なくとも有する。制御信号送出回路３６は、ＡＣアダプタ２０と商用電源の間に電気的に直列に接続されたスイッチ４２の開閉を制御する信号を、ＡＣアダプタ２０との接続配線２１を介して、直流出力に重畳させて送出する。ＡＣアダプタ２０は、この制御信号によってＡＣアダプタ２０に対する商用電源２２からの給電が制御される。【選択図】  図２
2010130838.tif 000002
【特許請求の範囲】
【請求項１】
ＡＣアダプタと電気的に接続されて前記ＡＣアダプタから電力を供給される電子機器であって、
前記ＡＣアダプタが有するスイッチの開閉を制御する信号を、前記ＡＣアダプタとの接続配線を介して送出する制御信号送出回路、
を備え、
前記スイッチは、
一端を前記ＡＣアダプタが有する交流直流変換回路と接続され、他端を前記交流直流変換回路が給電を受ける商用電源と接続されるとともに、前記制御信号送出回路の前記開閉を制御する信号にもとづいて開閉され、
前記制御信号送出回路は、
前記接続配線を介して前記スイッチの開閉を制御する信号を送出することにより、前記交流直流変換回路に対する前記商用電源からの給電を制御することを特徴とする電子機器。
【請求項２】
主電源の状態を判定する主電源状態判定部、
をさらに備え、
前記ＡＣアダプタは、
前記接続配線を介して前記制御信号送出回路から送出された信号を、前記接続配線に流れる直流出力を含む他の信号から抽出するフィルタリング部と、
前記フィルタリング部が抽出した信号に応じて前記スイッチの開閉を制御するスイッチ制御部と、
をさらに有し、
前記制御信号送出回路は、
前記主電源の状態がＯＦＦ状態であると、前記ＡＣアダプタとの接続配線を介して前記ＡＣアダプタから受ける直流出力に重畳させて第１の信号を送出し、
前記ＡＣアダプタの前記フィルタリング部は、
前記直流出力に重畳された前記第１の信号を抽出し、
前記ＡＣアダプタの前記スイッチ制御部は、
前記フィルタリング部が抽出した前記第１の信号を受けると、前記スイッチを開放して前記交流直流変換回路に対する前記商用電源からの給電を遮断する、
請求項１記載の電子機器。
【請求項３】
前記主電源状態判定部に対して常時給電する第１の補助電源、
をさらに備え、
前記ＡＣアダプタは、
前記スイッチ制御部および前記フィルタリング部に対して常時給電する第２の補助電源、
をさらに有し、
前記制御信号送出回路は、
前記主電源の状態がＯＦＦ状態からＯＮ状態に移行すると、前記ＡＣアダプタとの接続配線を介して前記第１の信号とは異なる第２の信号を送出し、
前記ＡＣアダプタの前記フィルタリング部は、前記第２の信号を抽出し、
前記ＡＣアダプタの前記スイッチ制御部は、前記フィルタリング部が抽出した前記第２の信号を受けると、前記スイッチを短絡して前記交流直流変換回路に対する前記商用電源からの給電を再開させる、
請求項２記載の電子機器。
【請求項４】
前記制御信号送出回路により送出される前記第１の信号および前記第２の信号は、
少なくとも直流成分に重畳された後に前記フィルタリング部により可逆的に抽出可能な信号である、
請求項３記載の電子機器。
【請求項５】
商用電源と電気的に接続されて交流電力を供給されるとともに、電子機器と電気的に接続されて前記電子機器に対して電力を供給するＡＣアダプタであって、
商用電源から供給される交流電力を直流電力に変換する交流直流変換回路と、
一端を前記交流直流変換回路と接続され、他端を前記商用電源と接続されたスイッチと、
を備え、
前記スイッチは、
前記電子機器との接続配線を介して前記電子機器から送出された信号により開閉を制御されることを特徴とするＡＣアダプタ。
【請求項６】
前記接続配線を介して前記電子機器から送出された信号を、前記接続配線に流れる直流出力を含む他の信号から抽出するフィルタリング部と、
前記フィルタリング部が抽出した信号に応じて前記スイッチの開閉を制御するスイッチ制御部と、
をさらに備え、
前記電子機器は、
前記電子機器の主電源状態がＯＦＦ状態であると、前記交流直流変換回路から前記電子機器との接続配線を介して前記電子機器に供給される直流出力に重畳させて第１の信号を送出し、
前記フィルタリング部は、
前記直流出力に重畳された前記第１の信号を抽出し、
前記スイッチ制御部は、
前記フィルタリング部が抽出した前記第１の信号を受けると、前記スイッチを開放して前記商用電源からの給電を遮断する、
請求項５記載のＡＣアダプタ。
【請求項７】
前記スイッチ制御部および前記フィルタリング部に対して常時給電する補助電源、
をさらに備え、
前記電子機器は、
前記主電源の状態がＯＦＦ状態からＯＮ状態に移行すると、前記接続配線を介して前記第１の信号とは異なる第２の信号を送出し、
前記フィルタリング部は、前記第２の信号を抽出し、
前記スイッチ制御部は、前記第２の信号を受けると、前記スイッチを短絡して前記交流直流変換回路に対する前記商用電源からの給電を再開させる、
請求項６記載のＡＣアダプタ。
【請求項８】
前記電子機器から送出される前記第１の信号および前記第２の信号は、
少なくとも直流成分に重畳された後に前記フィルタリング部により可逆的に抽出可能な信号である、
請求項７記載のＡＣアダプタ。
【発明の詳細な説明】
【技術分野】
【０００１】
本発明は、電子機器に対して外部から電力供給するＡＣアダプタの消費電力を低減させる電子機器およびこの電子機器に利用されるＡＣアダプタに関する。
【背景技術】
【０００２】
従来、この種のＡＣアダプタの消費電力を低減する技術に、特開平１１−２９９０９３号公報（特許文献１）に記載された技術がある。
【０００３】
この特許文献１に開示された電子機器およびＡＣアダプタは、３端子で接続されることができる。このうち２端子はＡＣアダプタから電子機器に対して電力を供給するために用いられ、他の１端子は電子機器からＡＣアダプタに対して信号を伝送するための伝送路のために利用される。このため、この従来の技術によれば、電子機器がオフ状態である旨の情報をこの信号を伝送するための伝送路を介してＡＣアダプタに対して与えることができる。したがって、従来の技術によれば、電子機器がオフ状態であるとＡＣアダプタの商用電源側（ＡＣアダプタのトランスの一次側）に設けられたスイッチを開放することにより、ＡＣアダプタの消費電力をほぼゼロにすることができるようになっている。
【特許文献１】特開平１１−２９９０９３号公報
【発明の開示】
【発明が解決しようとする課題】
【０００４】
しかし、従来の技術では、電子機器がオフ状態に移行した際にＡＣアダプタのトランスの一次側に設けられたスイッチを開放するためには、ＡＣアダプタから電子機器に電力を供給するための配線以外の他の信号伝達手段が必要となってしまう。このため、従来の技術では、ＡＣアダプタと電子機器とを接続するコードが太くなってしまうなどの問題が生じる。また、他の信号伝達手段として無線信号を利用することも考えられるが、無線信号は他の無線信号に起因する干渉や誤動作などが生じやすく、電子機器の電源を管理する手段としては問題が多い。
【０００５】
本発明は、上述した事情を考慮してなされたもので、給電に用いられる接続配線を介してＡＣアダプタの消費電力を低減するようＡＣアダプタを制御することができる電子機器およびこの電子機器に利用されるＡＣアダプタを提供することを目的とする。
【課題を解決するための手段】
【０００６】
本発明に係る電子機器は、上述した課題を解決するために、ＡＣアダプタと電気的に接続されて前記ＡＣアダプタから電力を供給される電子機器であって、前記ＡＣアダプタが有するスイッチの開閉を制御する信号を、前記ＡＣアダプタとの接続配線を介して送出する制御信号送出回路、を備え、前記スイッチは、一端を前記ＡＣアダプタが有する交流直流変換回路と接続され、他端を前記交流直流変換回路が給電を受ける商用電源と接続されるとともに、前記制御信号送出回路の前記開閉を制御する信号にもとづいて開閉され、前記制御信号送出回路は、前記接続配線を介して前記スイッチの開閉を制御する信号を送出することにより、前記交流直流変換回路に対する前記商用電源からの給電を制御することを特徴とするものである。
【０００７】
また、本発明に係るＡＣアダプタは、上述した課題を解決するために、商用電源と電気的に接続されて交流電力を供給されるとともに、電子機器と電気的に接続されて前記電子機器に対して電力を供給するＡＣアダプタであって、商用電源から供給される交流電力を直流電力に変換する交流直流変換回路と、一端を前記交流直流変換回路と接続され、他端を前記商用電源と接続されたスイッチと、を備え、前記スイッチは、前記電子機器との接続配線を介して前記電子機器から送出された信号により開閉を制御されることを特徴とするものである。
【発明の効果】
【０００８】
本発明に係る電子機器およびこの電子機器に利用されるＡＣアダプタによれば、給電に用いられる接続配線を介してＡＣアダプタの消費電力を低減するようＡＣアダプタを制御することができる。
【発明を実施するための最良の形態】
【０００９】
本発明に係る電子機器およびＡＣアダプタの実施の形態について、添付図面を参照して説明する。
【００１０】
図１は、本発明に係る電子機器およびＡＣアダプタの一実施形態を示す概略的な外観図である。なお、本発明は、ＡＣアダプタにより電力を供給される種々の電子機器に適用することができる。本実施形態では、本発明に係る電子機器として、ノートブック型のパーソナルコンピュータ（以下パーソナルコンピュータという）を用いる場合の一例について示した。
【００１１】
図１に示すように、パーソナルコンピュータ１０は、コンピュータ本体１１および表示装置としてのディスプレイユニット１２を備える。
【００１２】
コンピュータ本体１１は、薄い箱形の筐体を有し、この筐体上面の中央部には、キーボード１３が設けられる。コンピュータ本体１１の筐体上面の手前側には、パームレストが形成され、奥側には電源ボタン１４が設けられる。
【００１３】
ディスプレイユニット１２は、ＬＣＤ（Liquid Crystal Display）１５により構成される表示パネルを有し、コンピュータ本体１１に対し開閉自在に支持する連結部（ヒンジ）１６を介して連結される。
【００１４】
ＡＣアダプタ２０は、パーソナルコンピュータ１０に給電可能なように、パーソナルコンピュータ１０に対して配線２１（直流出力線）を介して電気的に接続される。また、ＡＣアダプタ２０は、商用電源２２と接続されて商用電源２２から電力を供給される。
【００１５】
図２は、パーソナルコンピュータ１０およびＡＣアダプタ２０の内部構成例を概略的に示すブロック図である。
【００１６】
まず、パーソナルコンピュータ１０の内部構成例について説明する。
【００１７】
図２に示すように、パーソナルコンピュータ１０は、キーボード１３、ＬＣＤ１５、電源ボタン１４、給電制御部３１、主制御部３２、パーソナルコンピュータ１０の補助電源（以下、ＰＣ補助電源という）３３および電源監視部３４を有する。
【００１８】
キーボード１３は、ユーザの操作に対応した操作入力信号を主制御部３２に出力する。また、ＬＣＤ１５は、主制御部３２の制御に従って各種情報を表示する。
【００１９】
電源ボタン１４は、パーソナルコンピュータ１０の主電源がＯＦＦ状態のときにユーザにより押下されると、主制御部３２および電源監視部３４に対しユーザからパーソナルコンピュータ１０の起動要求があった旨の情報を与える。また、電源ボタン１４は、パーソナルコンピュータ１０のシステムが起動中にユーザにより押下されると、主制御部３２および電源監視部３４に対しユーザからパーソナルコンピュータ１０の終了要求があった旨の情報を与える。
【００２０】
ここで、パーソナルコンピュータ１０の主電源がＯＦＦ状態とは、パーソナルコンピュータ１０のオペレーティングシステムおよびＢＩＯＳが終了されてパーソナルコンピュータ１０の主機能が停止した状態（シャットダウン状態）をいう。この状態では、ＰＣ補助電源３３により給電されるものを除きパーソナルコンピュータ１０を構成する全てのデバイスへの給電が絶たれる。
【００２１】
給電制御部３１は、ＡＣアダプタ２０から電力を供給され、電源監視部３４を含むパーソナルコンピュータ１０の各種デバイスに対する給電を制御する。
【００２２】
主制御部３２は、ＣＰＵ、ＲＡＭ、ＲＯＭなどにより構成され、ＲＯＭ内に記憶されたプログラムに従って、パーソナルコンピュータ１０の起動および終了処理を含む処理全般を制御する。
【００２３】
ＰＣ補助電源３３は、たとえばボタン型電池などにより構成され、内蔵ＲＴＣ（Real Time Clock）や電源監視部３４などの所要の構成部材に対し、給電制御部３１やメインバッテリ（二次電池）とは独立に電力供給する。本実施形態では、電源監視部３４がＰＣ補助電源３３により、パーソナルコンピュータ１０の主電源がＯＦＦ状態であっても常時給電される場合の例について示す。
【００２４】
電源監視部３４は、たとえばマイクロコントローラ３５および制御信号送出回路３６を有する。なお、以下に説明するように、電源監視部３４は複数の機能を有するが、これらの機能はハードウエアにより実現されてもよい。以下の説明では、電源監視部３４の多くの機能がマイクロコントローラ３５によって実現される場合の一例について示す。
【００２５】
マイクロコントローラ３５は、少なくともＣＰＵ、ＲＡＭおよびＲＯＭなどにより構成される制御部を備えたワンチップコントローラである。このマイクロコントローラ３５は、ＰＣ補助電源３３から常時給電されている。このため、ＡＣアダプタ２０からの給電が途絶えても、マイクロコントローラ３５は動作をすることが可能である。
【００２６】
マイクロコントローラ３５のＣＰＵは、マイクロコントローラ３５のＲＯＭ内に記憶されたプログラムに従って、少なくとも終了要求判定部３７、主電源状態判定部３８および起動要求判定部３９として機能する。
【００２７】
終了要求判定部３７は、ユーザにより電源ボタン１４を押下されるなどして、パーソナルコンピュータ１０に対する終了要求があったか否かを判定する。主電源状態判定部３８は、現在のパーソナルコンピュータ１０の主電源がＯＦＦ状態であるか否かを判定する。起動要求判定部３９は、ユーザにより電源ボタン１４を押下されるなどして、パーソナルコンピュータ１０に対する起動要求があったか否かを判定する。
【００２８】
制御信号送出回路３６は、ＡＣアダプタ２０と商用電源２２の間に電気的に直列に接続されたスイッチ４２の開閉を制御する信号を、ＡＣアダプタ２０との接続配線２１を介して送出する。このため、制御信号送出回路３６は、ＡＣアダプタ２０に対する商用電源２２からの給電を制御することになる。より具体的には、制御信号送出回路３６は、主電源の状態がＯＦＦ状態であると接続配線２１を介してＡＣアダプタ２０から受ける直流出力（たとえば１５Ｖなど）に重畳させて第１の信号を送出し、主電源の状態がＯＦＦ状態からＯＮ状態に移行すると、接続配線２１を介して第１の信号とは異なる第２の信号を送出する。第１の信号（ＯＦＦ制御信号）を受けると、ＡＣアダプタ２０はスイッチ４２を開放する一方、第２の信号（ＯＮ制御信号）を受けると、ＡＣアダプタ２０はスイッチ４２を短絡するようになっている。
【００２９】
なお、制御信号送出回路３６がＡＣアダプタ２０との接続配線２１を介して送出する信号は、少なくともＡＣアダプタ２０が出力する直流成分に重畳された後にフィルタリングによって可逆的に抽出可能な信号であることが好ましい。この種の信号としては、交流や１Ｖ程度のパルス波などを挙げることができる。信号としてパルス波を用いる場合、１パルスだけ送出するとノイズとの区別がつきづらい。このため、制御信号送出回路３６は、複数パルスを送信し、この複数パルスを第１の信号や第２の信号とするとよい。
【００３０】
また、第１の信号および第２の信号は、ＡＣアダプタ２０にとって全く反対の意味を持つ。このため、信号としてパルス波を用いる場合、第１の信号と第２の信号のパルス間隔は全く異なる間隔のパルス波とするとよい。
【００３１】
続いて、ＡＣアダプタ２０の内部構成例について説明する。
【００３２】
図２に示すように、ＡＣアダプタ２０は、交流直流変換回路４１、スイッチ４２、ＡＣアダプタ２０の補助電源（以下、ＡＣ補助電源という）４３、フィルタリング部４４およびスイッチ制御部４５を有する。
【００３３】
交流直流変換回路４１としてのＡＣ−ＤＣコンバート回路は、商用電源２２から受けた１００Ｖの交流電流を、異なる電圧（たとえば１５Ｖ）の直流電流へ変換して、配線２１を介してパーソナルコンピュータ１０に与える。
【００３４】
スイッチ４２は、図２に示すように、一端を交流直流変換回路４１と接続され、他端を商用電源２２と接続される。また、スイッチ４２は、制御信号送出回路３６の開閉を制御する信号（第１の信号および第２の信号）にもとづいて開閉される。
【００３５】
ＡＣ補助電源４３は、二次電池やスーパーキャパシタなどにより構成され、商用電源２２から給電されて充電を行う。このＡＣ補助電源４３は、フィルタリング部４４およびスイッチ制御部４５に対して商用電源２２とは独立に電力供給する。このため、フィルタリング部４４およびスイッチ制御部４５は、スイッチ４２が開放されてＡＣ−ＤＣコンバート回路から電力供給を受けることができなくなっても、ＡＣ補助電源４３により常時給電される。
【００３６】
フィルタリング部４４は、接続配線２１を介して制御信号送出回路３６から送出された信号を、接続配線２１に流れる直流出力を含む他の信号から抽出する。より具体的には、フィルタリング部４４は、直流出力に重畳された第１の信号および第２の信号を抽出してスイッチ制御部４５に与える。なお、直流成分に重畳された他の信号を抽出する技術は従来各種のものが知られており、フィルタリング部４４は、これらの技術のうち任意のものを使用すればよい。
【００３７】
スイッチ制御部４５は、フィルタリング部４４が抽出した信号に応じてスイッチ４２の開閉を制御する。より具体的には、スイッチ制御部４５は、フィルタリング部４４が抽出した第１の信号を受けると、スイッチ４２を開放してＡＣアダプタ２０に対する商用電源２２からの給電を遮断する一方、フィルタリング部４４が抽出した第２の信号を受けると、スイッチ４２を短絡して交流直流変換回路４１に対する商用電源２２からの給電を再開させる。
【００３８】
次に、本実施形態に係る電子機器およびＡＣアダプタ２０の動作の一例について説明する。
【００３９】
図３は、パーソナルコンピュータ１０の主電源がＯＮ状態からＯＦＦ状態に移行した際にＡＣアダプタ２０の消費電力をほぼゼロにする際の手順を示すフローチャートである。図３において、Ｓに数字を付した符号は、フローチャートの各ステップを示す。
【００４０】
この手順は、ＡＣアダプタ２０からパーソナルコンピュータ１０へ給電されており、かつパーソナルコンピュータ１０が起動中の状態でスタートとなる。
【００４１】
まず、ステップＳ１において、終了要求判定部３７は、ユーザにより電源ボタン１４を押下されるなどしてパーソナルコンピュータ１０に対する終了要求があったか否かを判定する。終了要求があった場合は、ステップＳ２に進む。一方、終了要求がなかった場合は引き続き終了要求の有無を監視する。
【００４２】
次に、ステップＳ２において、主電源状態判定部３８は、現在のパーソナルコンピュータ１０の主電源がＯＦＦ状態であるか否かを判定する。主電源がＯＦＦ状態である場合はステップＳ３に進む。一方、主電源がまだＯＦＦ状態ではなくシステムのシャットダウン処理中である場合は引き続き主電源がＯＦＦ状態となったか否かを判定する。
【００４３】
次に、ステップＳ３において、制御信号送出回路３６は、接続配線２１を介して直流出力（たとえば１５Ｖなど）に重畳させて第１の信号（ＯＦＦ制御信号）を送出する。
【００４４】
次に、ステップＳ４において、ＡＣアダプタ２０のフィルタリング部４４は、接続配線２１を介して制御信号送出回路３６から送出された第１の信号を、直流出力を含む他の信号から抽出する。
【００４５】
次に、ステップＳ５において、ＡＣアダプタ２０のスイッチ制御部４５は、フィルタリング部４４が抽出した第１の信号を受けると、スイッチ４２を開放してＡＣアダプタ２０に対する商用電源２２からの給電を遮断する。
【００４６】
以上の手順により、パーソナルコンピュータ１０の主電源がＯＮ状態からＯＦＦ状態に移行した際には商用電源２２からＡＣアダプタ２０へは全く電力供給がなされなくなり、ＡＣアダプタ２０の消費電力をほぼゼロにすることができる。
【００４７】
図４は、パーソナルコンピュータ１０の起動要求を受けて、商用電源２２からＡＣアダプタ２０への給電が完全に絶たれた主電源のＯＦＦ状態から、商用電源２２からＡＣアダプタ２０への給電を再開させる際の手順を示すフローチャートである。図４において、Ｓに数字を付した符号は、フローチャートの各ステップを示す。
【００４８】
図３に示した手順により、パーソナルコンピュータ１０の主電源がＯＦＦ状態では、商用電源２２からＡＣアダプタ２０へは全く電力供給がなされない。この状態では、ＡＣアダプタ２０からパーソナルコンピュータ１０へも全く電力供給を行うことができない。したがって、たとえ起動要求があってもパーソナルコンピュータ１０の起動処理を行うことができないように思われる。しかし、本実施形態に係るパーソナルコンピュータ１０およびＡＣアダプタ２０は、ＰＣ補助電源３３およびＡＣ補助電源４３により電源監視部３４、フィルタリング部４４およびスイッチ制御部４５には給電がされている。本実施形態に係るパーソナルコンピュータ１０およびＡＣアダプタ２０は、これらのデバイスを用いて以下の手順により商用電源２２からＡＣアダプタ２０への給電を再開させることができる。
【００４９】
まず、ステップＳ１１において、起動要求判定部３９は、ユーザにより電源ボタン１４を押下されるなどして、パーソナルコンピュータ１０に対する起動要求があったか否かを判定する。起動要求があった場合はステップＳ１２に進む。一方、起動要求がない場合は、引き続き起動要求の有無を監視する。
【００５０】
次に、ステップＳ１２において、制御信号送出回路３６は、接続配線２１を介して第１の信号とは異なる第２の信号（ＯＮ制御信号）を送出する。
【００５１】
次に、ステップＳ１３において、ＡＣアダプタ２０のフィルタリング部４４は、接続配線２１を介して制御信号送出回路３６から送出された第２の信号を、他の信号から抽出する。
【００５２】
次に、ステップＳ１４において、ＡＣアダプタ２０のスイッチ制御部４５は、フィルタリング部４４が抽出した第２の信号を受けると、スイッチ４２を短絡してＡＣアダプタ２０に対する商用電源２２からの給電を再開する。
【００５３】
以上の手順により、パーソナルコンピュータ１０の起動要求を受けて、商用電源２２からＡＣアダプタ２０への給電が完全に絶たれた主電源のＯＦＦ状態から、商用電源２２からＡＣアダプタ２０への給電を再開させることができる。
【００５４】
本実施形態に係るパーソナルコンピュータ１０は、主電源がＯＦＦ状態になると、接続配線２１を介してＡＣアダプタ２０に対して商用電源２２からの給電を制御するための信号（第１の信号および第２の信号）を与えることができる。また、本実施形態に係るＡＣアダプタ２０は、接続配線２１を介してパーソナルコンピュータ１０から受信した信号を他の信号成分から抽出し、この信号にもとづいて商用電源２２からの給電を制御される。したがって、本実施形態に係るパーソナルコンピュータ１０およびＡＣアダプタ２０によれば、給電に用いられる接続配線２１を介してＡＣアダプタ２０を制御することができるとともに、パーソナルコンピュータ１０の主電源がＯＦＦ状態の際にはＡＣアダプタ２０の消費電力をほぼゼロにすることができる。
【００５５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【００５６】
また、本発明の実施形態では、フローチャートの各ステップは、記載された順序に沿って時系列的に行われる処理の例を示したが、必ずしも時系列的に処理されなくとも、並列的あるいは個別実行される処理をも含むものである。
【図面の簡単な説明】
【００５７】
【図１】本発明に係る電子機器およびＡＣアダプタの一実施形態を示す概略的な外観図。
【図２】パーソナルコンピュータおよびＡＣアダプタの内部構成例を概略的に示すブロック図。
【図３】パーソナルコンピュータの主電源がＯＮ状態からＯＦＦ状態に移行した際にＡＣアダプタの消費電力をほぼゼロにする際の手順を示すフローチャート。
【図４】パーソナルコンピュータの起動要求を受けて、商用電源からＡＣアダプタへの給電が完全に絶たれた主電源のＯＦＦ状態から、商用電源からＡＣアダプタへの給電を再開させる際の手順を示すフローチャート。
【符号の説明】
【００５８】
１０  パーソナルコンピュータ
１１  コンピュータ本体
１２  ディスプレイユニット
１３  キーボード
１４  電源ボタン
１５  ＬＣＤ
１６  連結部
２０  ＡＣアダプタ
２１  配線
２２  商用電源
３１  給電制御部
３２  主制御部
３３  ＰＣ補助電源
３４  電源監視部
３５  マイクロコントローラ
３６  制御信号送出回路
３７  終了要求判定部
３８  主電源状態判定部
３９  起動要求判定部
４１  交流直流変換回路
４２  スイッチ
４３  ＡＣ補助電源
４４  フィルタリング部
４５  スイッチ制御部
【図１】
2010130838.tif 000003
【図２】
2010130838.tif 000004
【図３】
2010130838.tif 000005
【図４】
2010130838.tif 000006